(57)【特許請求の範囲】
【請求項１】
ネジ孔が設けられた平板状の接続片部を有する導電金具と、取付ネジを挿通装着する可動座金部材とを絶縁性の樹脂製基板に装着してなり、
前記取付ネジをネジ孔に螺合してリード線の端部を接続片部と可動座金部材の間に挟持することにより、該リード線を導電金具に電気的に接続するネジ式端子台であって、
可動座金部材は、前記取付ネジを挿通装着する平板状の座金片部と、該座金片部に連成されて接続片部を略垂直に貫通する杆状の案内片部とからなる略Ｌ字状をなし、該座金片部を接続片部に対して離近移動可能に保持されており、
案内片部には、座金片部が接続片部から離間する方向に可動座金部材を付勢する圧縮コイルバネが外嵌しており、
導電金具の接続片部には、案内片部が貫通すると共に、前記圧縮コイルバネの一端が内部に保持されるバネ退避用凹部が形成されていることを特徴とするネジ式端子台。
【請求項２】
前記導電金具は複数の接続片部を具備してなり、各接続片部に接続される各リード線相互を電気的に接続するものであることを特徴とする請求項１記載のネジ式端子台。
【発明の詳細な説明】
【技術分野】
【０００１】
本発明は、取付ネジによってリード線の端部を導電金具に接続するネジ式端子台に関する。
【背景技術】
【０００２】
ネジ孔が設けられた平板状の接続片部を有する導電金具と、取付ネジを挿通装着する可動座金部材とを絶縁性の樹脂製基板に装着してなり、前記取付ネジをネジ孔に螺合して、リード線の端部を接続片部と可動座金部材の間に挟持することにより、該リード線を導電金具に電気的に接続するネジ式端子台は広く知られている。また、かかるネジ式端子台にあって、可動座金部材を付勢する圧縮コイルバネを具備し、取付ネジとネジ孔の螺合を解除すると、該バネの付勢力によって接続片部と可動座金部材の間にリード線挿入用の間隙が自動的に形成されるものが知られている（例えば特許文献１）。
【０００３】
【特許文献１】実公昭６３−１８１２９号公報
【発明の開示】
【発明が解決しようとする課題】
【０００４】
上記従来のネジ式端子台では、圧縮コイルバネを可動座金部材と樹脂製基板の間に保持しているため、圧縮コイルバネの応力が樹脂製基板に常時加わっている。このため、圧縮コイルバネを支持する樹脂部分が変形・破損して、可動座金部材の動きや固定状態が不安定となることがある。
【０００５】
発明者は、これに対して、図９，１０に示すように、可動座金部材４ａを、取付ネジ５を挿通装着する平板状の座金片部２１ａと、該座金片部２１ａに対して垂直方向に伸びて接続片部１１ａを略垂直に貫通する直杆状の案内片部２２ａとで構成し、該案内片部２２ａに圧縮コイルバネ６を外嵌させることによって可動座金部材４ａと導電金具３ａの間に圧縮コイルバネ６を保持するネジ式端子台１ａを発明した。導電金具３ａはリード線の端部を脱落不能に挟持し得る程度の強度を有するものであるため、かかる構成によれば上記問題は解決される。
【０００６】
ところで、上記ネジ式端子台１ａでは、圧縮コイルバネ６が座金片部２１ａと接続片部１１ａの接近を邪魔しないようにするために、座金片部２１ａと案内片部２２ａの間に逆Ｕ字状の折返し部２３を形成し、縮んだ圧縮コイルバネ６を該折返し部２３に退避させ得るようになっている（図１０右側）。このように、上記ネジ式端子台１ａでは、可動座金部材４ａに折返し部２３が設けられ、座金片部２１ａと案内片部２２ａの間が複雑に屈曲しているため、その成形時に座金片部２１ａと案内片部２２ａの角度を合わせ難く、可動座金部材４ａの成形の手間が大きいという問題がある。
【０００７】
本発明はかかる現状に鑑みて為されたものであり、可動座金部材と導電金具の間に圧縮コイルバネを適切に保持し、且つ製造が容易なネジ式端子台の提供を目的とする。
【課題を解決するための手段】
【０００８】
本発明は、ネジ孔が設けられた平板状の接続片部を有する導電金具と、取付ネジを挿通装着する可動座金部材とを絶縁性の樹脂製基板に装着してなり、前記取付ネジをネジ孔に螺合してリード線の端部を接続片部と可動座金部材の間に挟持することにより、該リード線を導電金具に電気的に接続するネジ式端子台であって、可動座金部材は、前記取付ネジを挿通装着する平板状の座金片部と、該座金片部に連成されて接続片部を略垂直に貫通する杆状の案内片部とからなる略Ｌ字状をなし、該座金片部を接続片部に対して離近移動可能に保持されており、案内片部には、座金片部が接続片部から離間する方向に可動座金部材を付勢する圧縮コイルバネが外嵌しており、導電金具の接続片部には、案内片部が貫通すると共に、前記圧縮コイルバネの一端が内部に保持されるバネ退避用凹部が形成されていることを特徴とするネジ式端子台である。ここで、本発明における「リード線の端部」とは、リード線そのものだけでなく、リード線に圧着される圧着端子を含む。
【０００９】
かかる構成にあっては、圧縮コイルバネが可動座金部材と導電金具との間に保持される。上述のように導電金具はリード線の端部を脱落不能に挟持し得る程度の強度を有するものであり、圧縮コイルバネの応力程度で変形・破損するおそれはないから、本構成によれば圧縮コイルバネを安定な状態で保持できる。また、本構成では、座金片部と接続片部を近接させた際に、縮んだ圧縮コイルバネを接続片部のバネ退避用凹部に退避させることができる。このため、本発明によれば、可動座金部材に折返し部が不要となり、座金片部と案内片部とを直接連成することができる。なお、接続片部に形成するバネ退避用凹部は、上述の折返し部に比べて寸法精度の許容度が大きく、また、絞り加工等によって容易に成形可能である。
【００１０】
また、本発明のネジ式端子台は、前記導電金具は複数の接続片部を具備してなり、各接続片部に接続される各リード線相互を電気的に接続するものであることが提案される。かかる構成のネジ式端子台であれば、既存の構成を大きく変更することなく、本発明の導電金具や可動座金部材の構成を採用することができる。
【発明の効果】
【００１１】
以上に述べたように、本発明によれば、圧縮コイルバネが可動座金部材と導電金具の間に保持されるため、一端を樹脂製基板によって保持していた従来構成と比較して、圧縮コイルバネを安定に保持できるという利点がある。また、縮んだ圧縮コイルバネが導電金具のバネ退避用凹部に収容されるため、可動座金部材の構造を単純化できる。また、バネ退避用凹部は上記折返し部に比べて極めて簡単に成形できるため、ネジ式端子台全体としても簡単に製造できる。
【発明を実施するための最良の形態】
【００１２】
本発明の実施形態を、以下の実施例に従って説明する。
図１，２は、本発明の一実施例に係るネジ式端子台１を示す。ネジ式端子台１は、変性ＰＰＯ樹脂等の絶縁性樹脂材料によって板状に形成された左右対称の樹脂製基板２を主体部とするものであり、金属製の据付レールＡに装着されて該据付レールＡの上に複数列設される。この樹脂製基板２には、板状の導電金具３が横断状に装着される。導電金具３の両側にはリード線Ｌを接続するための平板状の接続片部１１，１１が形成される。各接続片部１１には可動座金部材４が昇降移動可能に保持されており、また、該可動座金部材４には取付ネジ５が挿通装着されている。リード線Ｌを接続片部１１に接続する際には、まず、リード線Ｌの端部の圧着端子Ｔを可動座金部材４と接続片部１１の間に挿入し、次いで、取付ネジ５を接続片部１１に螺着して、可動座金部材４と接続片部１１の間に圧着端子Ｔを脱落不能に挟持する。そして、各接続片部１１に接続したリード線Ｌは導電金具３を介して結線されることとなる。なお、以下の説明では、図２に示される側をネジ式端子台１の正面側、図２中の上方をネジ式端子台１の上方として説明する。
【００１３】
ネジ式端子台１は、図３，４に示すように、導電金具３の各接続片部１１，１１に対して、可動座金部材４、取付ネジ５、及び可動座金部材４を付勢する圧縮コイルバネ６を組み付けた後に、樹脂製基板２に装着してなるものである。
【００１４】
樹脂製基板２は、図３に示すように、背板３１から所定肉厚の画成壁３２を突出させることにより、導電金具３や可動座金部材４を装着する座定溝面３３などを正面側で開放状に形成してなるものである。また、この樹脂製基板２の底部には、据付レールＲの上部と係合する連結片３４，３４が形成される。
【００１５】
導電金具３は、図４〜６に示すように、磨耗・変形し難い帯板状の長尺金属片からなる。この導電金具３は、左右の一対の平板状の接続片部１１，１１を段差なく連成してなるものであり、左右対称形状をなしている。接続片部１１の端部寄り位置には下方に絞り加工が施され、該加工部分に取付ネジ５と螺合するネジ孔１２が形成されている。また、接続片部１１の上面の中央寄り位置には、該ネジ孔１２の近傍にバネ退避用凹部１３が形成される。バネ退避用凹部１３は、絞り加工によって形成された略円柱形状の凹部であり、その底面には、可動座金部材４の案内片部２２が貫通する矩形の貫通孔１４が形成される。このバネ退避用凹部１３は、圧縮コイルバネ６が漸く内嵌し得る程度の内径を有しており、バネ退避用凹部１３に内嵌した圧縮コイルバネ６の端部は貫通孔１４を通過することなく、バネ退避用凹部１３の底部で支持される。
【００１６】
可動座金部材４は、図７に示すように、打ち抜いた金属板片を屈曲加工してなるものであり、平板状の座金片部２１と杆状の案内片部２２とが略直交するように連成されたＬ字状をなしている。座金片部２１の中央には取付ネジ５を挿通装着するネジ挿通孔２４が貫設されている。また、座金片部２１の下面の、ネジ挿通孔２４の周囲には、圧着端子Ｔを強く圧接することとなる圧接突部２５が隆起している。一方、案内片部２２は、凹凸のない直杆状をなしており、座金片部２１の縁から座金片部２１と直交する方向に垂下している。
【００１７】
図４，８に示すように、各可動座金部材４は、その案内片部２２をバネ退避用凹部１３の底部を貫通させることによって導電金具３に昇降可能に保持されて、その座金片部２１を接続片部１１に対して離近移動させる。かかる保持状態では、座金片部２１のネジ挿通孔２４と接続片部１１のネジ孔１２とが上下に対向しており、可動座金部材４を下降させると、座金片部２１に挿通装着された取付ネジ５をネジ孔１２に螺着可能となる。また、圧縮コイルバネ６は案内片部２２に外嵌し、その上端を可動座金部材４の屈曲部に、その下端をバネ退避用凹部１３の底部に支持されて、座金片部２１が接続片部１１から離間することとなる上方向に可動座金部材４を付勢する。
【００１８】
また、図１，２に示すように、可動座金部材４は、樹脂製基板２の背板３１に突成される案内用突部３５によって、傾くことなく昇降するよう側方から支持される。また、可動座金部材４は、その上方に形成された画成壁３２によってバネ退避用凹部１３からの脱落を阻止されている。
【００１９】
リード線Ｌの端部の圧着端子Ｔを接続片部１１に接続する場合には、図２の左側に示すように、可動座金部材４が上昇した状態で、圧着端子Ｔを接続片部１１と座金片部２１の間に挿入し、次いで、圧縮コイルバネ６の付勢力に抗して可動座金部材４を下降させて取付ネジ５をネジ孔１２と螺合させることにより、圧着端子Ｔを接続片部１１と座金片部２１とで挟持する。
【００２０】
圧着端子Ｔの接続を解除する場合には、取付ネジ５を緩めればよい。取付ネジ５がネジ孔１２から脱落すれば、圧縮コイルバネ６によって可動座金部材４が自動的に上昇するため、可動座金部材４を持ち上げることなく圧着端子Ｔを抜き取ることができる。
【００２１】
このように本実施例にあっては、圧縮コイルバネ６の下端がバネ退避用凹部１３に内嵌しており、図２，８に示すように、座金片部２１を接続片部１１に近接させると、縮んだ圧縮コイルバネ６がバネ退避用凹部１３内に退避することとなる。したがって、本実施例の構成によれば、可動座金部材４にバネ退避用の構造が形成されていなくても、圧着端子Ｔを接続する際に、接続片部１１と座金片部２１の接近が圧縮コイルバネ６によって阻害されることがない。
【００２２】
また、本実施例にあっては、圧縮コイルバネ６の両端を、金属製の導電金具３と可動座金部材４とによって支持しているため、圧縮コイルバネ６をその付勢力に抗して長期間安定に保持できる。
【００２３】
また、本実施例に係るバネ退避用凹部１３は、絞り加工により簡単に形成され得るものであるから、可動座金部材にバネ退避用の構造を形成するよりも低廉に製造できるという利点がある。
【００２４】
また、本実施例にあっては、圧縮コイルバネ６の下端がバネ退避用凹部１３の内部に保持されることとなるため、圧縮コイルバネ６を導電金具３と組み付けた後に、可動座金部材４を導電金具３と圧縮コイルバネ６に組み付けることができ、可動座金部材４の導電金具３への組付けを簡単に行うことができる。
【００２５】
また、本実施例にあっては、図９，１０に示す構成に比べて、取付ネジ５を締め付けた際に圧縮コイルバネ６が下方に収容されることとなるので、ネジ式端子台１の上部スペースを省略することができ、ネジ式端子台１を小型化できるという利点もある。
【００２６】
なお、本発明におけるネジ式端子台は、上記実施例の形態に限らず本発明の要旨を逸脱しない範囲内において種々変更を加えることができる。
【００２７】
例えば、上記実施例のネジ式端子台１は、左右一対の接続片部１１，１１を具備するものであったが、本発明のネジ式端子台は、３つ以上の接続片部を有するものであってもよいし、複数の導電金具を具備するものでも構わない。また、本発明は、接続片部に接続したリード線を、導電金具を介して基板回路と接続するネジ式端子台にも適用可能である。かかるネジ式端子台の場合は接続片部が一つでも構わない。
【００２８】
また、実施例では、バネ退避用凹部１３が穴状であったが、本発明に係るバネ退避用凹部は穴状に限らず、溝状であっても構わない。
【００２９】
また、実施例では、取付ネジ５が座金片部２１に直接挿通装着されているが、取付ネジと座金片部２１の間にさらに座金を介在させても構わない。
【図面の簡単な説明】
【００３０】
【図１】実施例のネジ式端子台１の斜視図である。
【図２】実施例のネジ式端子台１の正面図である。
【図３】実施例のネジ式端子台１の分解斜視図である。
【図４】導電金具３や可動座金部材４を分離して示す斜視図である。
【図５】導電金具３の平面図である。
【図６】図５のＡ−Ａ’断面図である。
【図７】可動座金部材４の斜視図である。
【図８】導電金具３を縦断して、導電金具３や可動座金部材４の結合関係を示す説明図である。
【図９】比較例のネジ式端子台１ａの正面図である。
【図１０】比較例の導電金具３ａを縦断して導電金具３ａや可動座金部材４ａの結合関係を示す説明図である。
【符号の説明】
【００３１】
１，１ａ  ネジ式端子台
２  樹脂製基板
３，３ａ  導通金具
４，４ａ  可動座金部材
５  取付ネジ
６  圧縮コイルバネ
１１，１１ａ  接続片部
１２  ネジ孔
１３  バネ退避用凹部
２１，２１ａ  座金片部
２２，２２ａ  案内片部
２３  折返し部
２４  ネジ挿通孔
２５  圧接突部
Ｌ  リード線
Ｔ  圧着端子
Ｒ  据付レール
【図１】
0004975597.tif 000002
【図２】
0004975597.tif 000003
【図３】
0004975597.tif 000004
【図４】
0004975597.tif 000005
【図５】
0004975597.tif 000006
【図６】
0004975597.tif 000007
【図７】
0004975597.tif 000008
【図８】
0004975597.tif 000009
【図９】
0004975597.tif 000010
【図１０】
0004975597.tif 000011